(57)【要約】【課題】  無線制御部に故障や障害が発生しても、サービスを継続できる無線基地局装置および無線基地部を目的とする。【解決手段】  無線基地局装置ＢＳは、無線端末装置Ｍと無線通信する複数の無線部Ｒと、複数の無線部Ｒと伝送線を介して接続され、各無線部Ｒで送受信される無線信号に係る処理を行う無線基地部１０とを有する。無線基地部１０には、無線部Ｒにて送受信する通信データを処理するｎ＋１構成の無線制御部１２を備える。無線制御部１２−１〜１２−ｎの夫々は、自らの無線制御部１２の処理対象である無線部のＭＡＣ情報を記憶し、記憶されているＭＡＣ情報を定期的に予備の無線制御部１２−ｍへ転送する。障害発生時には、予備の無線監視制御部１２−ｍへ処理を切り替え、切り替え後に運用中状態となった無線制御部は、切り替え前に転送されたデータを用いて処理を継続する。【選択図】  図１
2011091628.tif 000002
【特許請求の範囲】
【請求項１】
無線端末装置と無線通信する複数の無線部と、前記複数の無線部と伝送線を介して接続され、前記無線信号に係る処理を行う無線基地部とを有する無線基地局装置であって、
前記無線基地部には、
各無線部とのインタフェースである無線インタフェース部と、
各無線インタフェース部と接続され、前記無線部インタフェース部を介して送受信する、前記各無線部で送受信される無線信号に係る制御を行う、少なくとも１つの予備系無線制御部を含む複数の無線制御部と、
を備え、
前記複数の無線制御部の夫々には、
各無線インタフェース部と接続される複数のポートを備える交換スイッチと、
自らの無線制御部の制御対象の無線部に関するＭＡＣ（Media Access Control）アドレスの情報を前記ポートに対応付けて記憶するＭＡＣ情報記憶部と、
前記ＭＡＣ情報記憶部に記憶されているＭＡＣ情報を予備系の無線制御部へ転送するＭＡＣ情報管理手段と、
自らの無線制御部が運用中状態または待機中状態のどちらであるかを示す系状態を記憶する系状態記憶部と、
自らの系状態記憶部へ待機中状態である系状態を記憶させ、予備系の系状態記憶部へ運用中状態である系状態を記憶させて、予備系の無線監視制御部へ処理を切り替える予備切替手段とを備え、
前記予備切替手段による系切替後に運用中状態となった予備系の無線制御部は、前記ＭＡＣ情報管理手段により転送されたＭＡＣ情報を用いて処理を継続することを特徴とする無線基地局装置。
【請求項２】
無線端末装置と無線通信する複数の無線部と、前記複数の無線部と伝送線を介して接続され、前記無線信号に係る処理を行う無線基地部とを有する無線基地局装置の無線基地部であって、
各無線部とのインタフェースである無線インタフェース部と、
各無線インタフェース部と接続され、前記無線部インタフェース部を介して送受信する、前記各無線部で送受信される無線信号に係る制御を行う、少なくとも１つの予備系無線制御部を含む複数の無線制御部と、
を備え、
前記複数の無線制御部の夫々には、
各無線インタフェース部と接続される複数のポートを備える交換スイッチと、
自らの無線制御部の制御対象の無線部に関するＭＡＣ（Media Access Control）アドレスの情報を前記ポートに対応付けて記憶するＭＡＣ情報記憶部と、
前記ＭＡＣ情報記憶部に記憶されているＭＡＣ情報を予備系の無線制御部へ転送するＭＡＣ情報管理手段と、
自らの無線制御部が運用中状態または待機中状態のどちらであるかを示す系状態を記憶する系状態記憶部と、
自らの系状態記憶部へ待機中状態である系状態を記憶させ、予備系の系状態記憶部へ運用中状態である系状態を記憶させて、予備系の無線監視制御部へ処理を切り替える予備切替手段とを備え、
前記予備切替手段による系切替後に運用中状態となった予備系の無線制御部は、前記ＭＡＣ情報管理手段により転送されたＭＡＣ情報を用いて処理を継続することを特徴とする無線基地部。
【発明の詳細な説明】
【技術分野】
【０００１】
本発明は、例えば、無線端末装置と通信する無線基地局装置が備える無線制御部の信頼性向上技術に関する。
【背景技術】
【０００２】
携帯電話やＰＨＳ（Personal Handy-phone System）等の無線通信システムのインフラの発展する中、益々、次世代の無線通信システム分野における技術開発が注目されている。
【０００３】
従来の無線通信システムの構成は、例えば図６に示すように、無線端末装置Ｍ１、Ｍ２と無線で通信を行う無線基地局装置ＢＳ１、ＢＳ２と、無線基地局装置ＢＳ１、ＢＳ２と接続されるネットワーク部２０とを有する。無線端末装置Ｍ（Ｍ１、Ｍ２）が無線基地局装置ＢＳ（ＢＳ１、ＢＳ２）と無線通信するデータは、ネットワーク部２０を介して、無線端末装置Ｍや図示しない固定端末装置等の通信先の端末装置との間で送受信される。このようにして、音声通話やデータ交換が実現される。
【０００４】
従来の無線通信システムの無線基地局装置ＢＳは、アンテナで無線端末装置Ｍと無線通信し、無線信号と電気信号の変換を行う無線部１０１、無線部とのインタフェースである無線インタフェース部１０２、無線部１０１を制御する無線制御部１０３、および、通信を制御するために各部の監視を行う無線監視制御部１０４を備える。この構成は、無線部１０１と、無線部１０１を制御する各部が同一の筺体内に配置されているため、従来の無線基地局装置ＢＳは、一体型基地局装置とも呼ばれる。この一体型の無線基地局装置ＢＳは、無線端末装置Ｍと無線通信を行う無線部１０１を制御するため、この無線部１０１に対応して、無線制御部１０３および無線監視制御部１０４が備えられる。すなわち、１つの無線部１０１に対して、無線制御部１０３および無線監視制御部１０４が設けられている。
【０００５】
しかしながら、上記のような従来の無線基地局装置ＢＳでは、その構成上、１つの無線基地局装置ＢＳには、無線部１０１、無線制御部１０３、および無線監視制御部１０４を設ける必要があるため、無線部１０１を増やす場合には、無線部１０１と同じ数だけの無線制御部１０３および無線監視制御部１０４が必要になり、コストが高くなる。
【０００６】
一方、最近では、無線基地局装置ＢＳを、無線部とそれ以外の無線基地部とに分離し、１つの無線基地部において複数の無線部を接続できるようにした分離型の無線基地局装置が検討されている。この分離型の無線基地局装置は、従来の一体型の無線基地局装置ＢＳと比較して、効率的な構造である。
【０００７】
なお、冗長構成された無線基地局装置に関連する技術として、例えば、特許文献１が知られている。
【先行技術文献】
【特許文献】
【０００８】
【特許文献１】特開２００２−９４４３８号公報
【発明の概要】
【発明が解決しようとする課題】
【０００９】
上記述べたような分離型の無線基地局装置は、効率的な構成となる一方、無線制御部の制御対象は、複数の無線部であるため、この無線制御部に故障や障害が発生した場合、その管理下にある複数の無線部が全て使用できなくなる。すなわち、サービスが停止となる範囲は、故障や障害が発生した無線監視制御部に管理される複数の無線部全てという広範囲に渡るという問題がある。
【００１０】
そこで、本発明は、無線制御部に故障や障害が発生しても、サービスを継続できる無線基地局装置および無線基地部を目的とする。
【課題を解決するための手段】
【００１１】
上記目的を達成するために、本発明による無線基地局装置は、無線端末装置と無線通信する複数の無線部と、前記複数の無線部と伝送線を介して接続され、前記無線信号に係る処理を行う無線基地部とを有する無線基地局装置であって、前記無線基地部には、各無線部とのインタフェースである無線インタフェース部と、各無線インタフェース部と接続され、前記無線部インタフェース部を介して送受信する、前記各無線部で送受信される無線信号に係る制御を行う、少なくとも１つの予備系無線制御部を含む複数の無線制御部と、を備え、前記複数の無線制御部の夫々には、各無線インタフェース部と接続される複数のポートを備える交換スイッチと、自らの無線制御部の制御対象の無線部に関するＭＡＣ（Media Access Control）アドレスの情報を前記ポートに対応付けて記憶するＭＡＣ情報記憶部と、前記ＭＡＣ情報記憶部に記憶されているＭＡＣ情報を予備系の無線制御部へ転送するＭＡＣ情報管理手段と、自らの無線制御部が運用中状態または待機中状態のどちらであるかを示す系状態を記憶する系状態記憶部と、自らの系状態記憶部へ待機中状態である系状態を記憶させ、予備系の系状態記憶部へ運用中状態である系状態を記憶させて、予備系の無線監視制御部へ処理を切り替える予備切替手段とを備え、前記予備切替手段による系切替後に運用中状態となった予備系の無線制御部は、前記ＭＡＣ情報管理手段により転送されたＭＡＣ情報を用いて処理を継続することを特徴とする。
【００１２】
また、上記目的を達成するために、本発明による無線基地部は、無線端末装置と無線通信する複数の無線部と、前記複数の無線部と伝送線を介して接続され、前記無線信号に係る処理を行う無線基地部とを有する無線基地局装置の無線基地部であって、各無線部とのインタフェースである無線インタフェース部と、各無線インタフェース部と接続され、前記無線部インタフェース部を介して送受信する、前記各無線部で送受信される無線信号に係る制御を行う、少なくとも１つの予備系無線制御部を含む複数の無線制御部と、を備え、前記複数の無線制御部の夫々には、各無線インタフェース部と接続される複数のポートを備える交換スイッチと、自らの無線制御部の制御対象の無線部に関するＭＡＣ（Media Access Control）アドレスの情報を前記ポートに対応付けて記憶するＭＡＣ情報記憶部と、前記ＭＡＣ情報記憶部に記憶されているＭＡＣ情報を予備系の無線制御部へ転送するＭＡＣ情報管理手段と、自らの無線制御部が運用中状態または待機中状態のどちらであるかを示す系状態を記憶する系状態記憶部と、自らの系状態記憶部へ待機中状態である系状態を記憶させ、予備系の系状態記憶部へ運用中状態である系状態を記憶させて、予備系の無線監視制御部へ処理を切り替える予備切替手段とを備え、前記予備切替手段による系切替後に運用中状態となった予備系の無線制御部は、前記ＭＡＣ情報管理手段により転送されたＭＡＣ情報を用いて処理を継続することを特徴とする。
【発明の効果】
【００１３】
本発明による無線基地局装置および無線基地部によれば、無線制御部に故障や障害が発生してもサービスを継続できる。
【図面の簡単な説明】
【００１４】
【図１】本発明の一実施の形態に係る無線基地局装置の構成を示すブロック図。
【図２】図１の無線基地部の無線制御部の構成を示すブロック図。
【図３】図２の無線制御部が、ｎ＋１切替処理を行う際の、系状態の切替およびＭＡＣ情報を切替先の無線制御部へ転送するイメージを示した図。
【図４】図２の無線監視制御部の無線監視制御データの構成を示す図。
【図５】本発明の一実施の形態に係る無線制御部が行うＭＡＣ制御データの転送と、ｎ＋１切替処理を行う無線制御部の系状態とを示すシーケンス図。
【図６】従来の無線基地局装置の構成を示すブロック図。
【発明を実施するための形態】
【００１５】
以下、本発明の実施例を、図面を参照して説明する。
【実施例】
【００１６】
図１は、本発明の一実施の形態を示す無線基地局装置の構成を示すブロック図である。  
無線基地局装置１は、無線端末装置Ｍ１〜Ｍ３（以下、無線端末装置Ｍ１〜Ｍ３を総称して無線端末装置Ｍと称する。）と無線で通信する無線部Ｒ１〜Ｒ３（以下、無線部Ｒ１〜Ｒ３を総称して無線部Ｒと称する。）と、通信データを中継するネットワーク部２０および無線部Ｒと接続される無線基地部１０とを有する。無線基地部１０と無線部Ｒとの間は、光ケーブル等の伝送線で接続される。無線部１０は、図示されないアンテナ、電力増幅器、および周波数変換器を備え、無線端末装置Ｍとの無線通信を行う。なお、無線端末装置Ｍは、図１では３つのみ図示したが、多数の無線端末装置Ｍが無線接続可能である。
【００１７】
無線基地部１０は、無線部とのインタフェースである無線インタフェース部１１−１〜１１−３（以下、無線インタフェース部１１−１〜１１−３を総称して無線インタフェース部１１と称する。）、無線部により送受信される通信データを処理する無線制御部１２（１２−１、１２−２、…、１２−ｍ）、および、各部を監視する無線監視制御部１３を備える。また、各無線インタフェース部１１は、各無線制御部１２とデータバスで接続され、各無線制御部１２は、ネットワーク部２０と接続されている。そして、各部は図示しない制御バス等で互いに接続される。なお、無線インタフェース部１１は、図１では３つのみ図示したが、３つ以外の構成であってもよい。
【００１８】
この無線制御部１２は、無線基地部１０と接続される複数の無線部Ｒのうちのいくつかの無線部Ｒを制御するため、この無線制御部１２に故障や障害が発生した場合は、無線制御部１２の制御対象の無線部Ｒによる無線通信が停止してしまう。つまり、無線基地局装置ＢＳの一部のサービスが停止してしまう。また、無線制御部１２が複数の無線部Ｒの制御を行うため、一体型の無線基地局装置の構成に比べて無線制御部１２の負荷が高くなり、無線制御部１２の信頼性をより高めることが求められる。そのため、無線基地局装置ＢＳのサービス停止を防ぎ、ひいては無線制御部１２の信頼性をより高めるため、無線制御部１２は、故障や障害が発生していない通常時の処理を行うｎ個の無線制御部１２−１〜１２−ｎの他に、予備として設けられる無線制御部１２−ｍを設ける。この予備として設けられる無線制御部１２−ｍは、ｎ個の無線制御部１２に予備１個を設けるようにしたため、ｎ＋１系と称される。また、このようなｎ＋１系の無線制御部１２を設けた構成は、ｎ＋１構成と称される。
【００１９】
次に、図２乃至図４を参照して、無線制御部１２の構成について説明する。  
図２は、無線制御部１２の構成を示したブロック図である。ｎ＋１構成の無線制御部１２は、無線制御部１２の各部を制御する監視制御部３１、運用中の無線制御部１２−１〜１２−ｎとｎ＋１系の無線制御部１２−ｍとを切り替えるｎ＋１切替部３２、自らの無線制御部１２の系状態が運用中（ＡＣＴ）もしくは待機中（ＳＢＹ）のどちらであるかを記憶する系状態記憶部３３、他の無線制御部１２へＭＡＣ（Media Access Control）情報を転送する処理を行うＭＡＣ情報管理部３４、ＭＡＣ情報管理部３４により管理されるＭＡＣ情報を記憶するＭＡＣ情報記憶部３５、無線インタフェース部１１とネットワーク部４０とが通信できるようにポートＰ１〜Ｐ３とネットワークポートＰｎｗとの接続を設定する交換スイッチ、および、無線制御部１２の各部の故障や障害を管理する障害管理部３７を備える。このポートＰ１〜Ｐ３は、各無線インタフェース部１１とデータバスを介して物理的に接続されるが、交換スイッチ３６によってポートＰ１〜Ｐ３の論理的接続の有効化又は無効化を設定される。このポートの論理的接続は、無線監視制御部１３の指示に基づき、監視制御部３１によって設定される。このポートＰ１〜Ｐ３は、図２では３つのみ示したが、３つ以外の構成であってもよい。
【００２０】
図３は、図２に代表して示した無線制御部１２のうち、運用中（１系）の無線制御部１２−１および待機中（ｎ＋１系）の無線制御部１２−ｍの系状態記憶部に記憶される系状態を示したブロック図である。
【００２１】
図３の例では、１系の無線制御部１２−１が備える系状態記憶部３３には、ＡＣＴと記憶され、ｎ＋１系の無線制御部１２−ｍが備える系状態記憶部４３には、ＳＢＹと記憶されている。これは、１系の無線制御部１２−１が無線部Ｒの制御を行い、ｎ＋１系の無線制御部１２−ｍは待機中であることを意味する。また、無線制御部１２−１に故障や障害が発生した場合、無線制御部１２−１が行っていた無線部Ｒの制御を無線制御部１２−ｍが代行できるように、運用中（１系）の無線制御部１２−１は、ＭＡＣ情報管理部３４によってＭＡＣ情報記憶部３５に記憶されているＭＡＣ情報を、待機中（ｎ＋１系）の無線制御部１２−ｍへ転送するようにしている。
【００２２】
図４は、ＭＡＣ情報記憶部３６、４６に記憶される情報を示したものである。  
図４（ａ）は、無線制御部１２−１が備えるＭＡＣ情報記憶部３５に記憶されるＭＡＣ情報を示したものである。このＭＡＣ情報記憶部３５には、無線制御部１２−１の制御対象の無線部Ｒに関するＭＡＣ情報Ｄ１が記憶される。例えば、ＭＡＣ情報Ｄ１は、無線部Ｒ毎に、無線部ＲのＭＡＣアドレスの情報と、無線部Ｒと接続された無線インタフェース部１１がどのポートＰに接続設定されているのかを示す情報（図４（ａ）中では、「交換スイッチポート１接続」のように表記している。）とを含む。つまり、無線部ＲのＭＡＣアドレスの情報とポートの情報とが対応付けられている。
【００２３】
図４（ｂ）は、無線制御部１２−ｍが備えるＭＡＣ情報記憶部４５に記憶されるＭＡＣ情報を示したものである。このＭＡＣ情報記憶部４５には、無線制御部１２−１〜１２−ｎ毎に、それぞれの制御対象の無線部Ｒに関するＭＡＣ情報が記憶される。これらのＭＡＣ情報は、無線制御部１２−１〜１２−ｎから逐次送られてくるものである。すなわち、各無線制御部１２−１〜１２−ｎのＭＡＣ情報記憶部に記憶されているＭＡＣ情報Ｄ１〜Ｄｎと、ｎ＋１系の無線制御部１２−ｍのＭＡＣ情報記憶部に記憶されているＭＡＣ情報Ｄ１〜Ｄｎとは、同じ情報を示す。
【００２４】
なお、これらのＭＡＣ情報D１〜Ｄｎは、無線インタフェース部１１と無線制御部１２との接続設定を行う際にＭＡＣ情報管理部３４、４４によって参照されたり、更新されたりするものである。
【００２５】
次に、図５を参照して、無線制御部１２−１、１２−ｍが行うｎ＋１切替処理について説明する。図５は、無線制御部１２−１（１系）が運用中の状態であり、待機中状態の無線制御部１２−ｍ（ｎ＋１系）へ切り替えを行う処理を示すシーケンス図である。図５には、切り替えの前後の各無線制御部１２の系状態（ＡＣＴまたはＳＢＹ）も合わせて表記されている。また、このシーケンス図の初期状態として、無線制御部１２−１（１系）の系状態記憶部３３には運用中の状態を示す「ＡＣＴ」が記憶され、無線制御部１２−ｍ（ｎ＋１系）の系状態記憶部４３には待機中状態を示す「ＳＢＹ」が記憶されている状態であるとする。また、無線制御部１２−２は、系状態が図示されていないが、運用中の状態であるとする。ここでは、無線制御部１２−１に故障または障害が発生したために無線制御部１２−１の処理を無線制御部１２−ｍに代行させ、無線制御部１２−１が復帰した後に、処理を元に戻す（切戻）場合を例に挙げて説明する。
【００２６】
まず、運用中状態の無線制御部１２−１（１系）は、ＭＡＣ情報記憶部３５に記憶されているＭＡＣ情報Ｄ１をＭＡＣ情報管理部３４によって待機中状態の無線制御部１２−ｍ（ｎ＋１系）へ転送する（ステップＳ１１）。無線制御部１２−ｍ（ｎ＋１系）は、ＭＡＣ情報Ｄ１を受信すると、ＭＡＣ情報管理部４４の処理によってＭＡＣ情報記憶部４５へ記憶させる。また、運用中状態の無線制御部１２−２（２系）は、ＭＡＣ情報記憶部３５に記憶されているＭＡＣ情報Ｄ１をＭＡＣ情報管理部３４によって待機中状態の無線制御部１２−ｍ（ｎ＋１系）へ転送する（ステップＳ１２）。
【００２７】
そして、ステップＳ１１で無線制御部１２−１から無線制御部１２−ｍへのＭＡＣ情報転送を行ってから一定時間Ｔが経過すると、その時点でのＭＡＣ情報Ｄ１を、ステップＳ１１と同様に無線制御部１２−ｍへ転送する（ステップＳ１３）。運用中状態の無線制御部１２−２（２系）についても、ステップＳ１２で無線制御部１２−２から無線制御部１２−ｍへのＭＡＣ情報転送を行ってから一定時間Ｔが経過すると、その時点でのＭＡＣ情報Ｄ１を、ステップＳ１２と同様に無線制御部１２−ｍ（ｎ＋１系）へ転送する（ステップＳ１４）。
【００２８】
さらに、ステップＳ１３で無線制御部１２−１から無線制御部１２−ｍへのＭＡＣ情報転送を行ってから一定時間Ｔが経過すると、その時点でのＭＡＣ情報Ｄ１を、ステップＳ１１、１３と同様に無線制御部１２−ｍへ転送する（ステップＳ１５）。以降、同様に、無線制御部１２−１、１２−２、…、１２−ｎは、一定時間Ｔ毎（周期Ｔ）に、ＭＡＣ情報Ｄ１〜Ｄｎを待機中（ｎ＋１系）の無線制御部１２−ｍへ転送する。
【００２９】
ここで、無線制御部１２−１（１系）に故障または障害が発生したとする。この故障や障害の発生とは、無線監視制御部１２−１（１系）の各部の基板で制御するデバイスが動作異常になったことや、無線制御部１２−１（１系）が備えるＣＰＵの例外異常、ＷＤＴ（ウォッチドッグタイマ）オーバーフローなどにより、サービス継続不可能となった場合等である。このような故障や障害が発生すると、無線制御部１２−１（１系）が備える障害管理部３７により故障または障害が発生したことを検出される。障害管理部３７により、無線制御部１２−１（１系）の故障または障害が発生したことを検出されると、障害管理部３７は、無線監視制御部１３へ障害の発生を通知する。無線監視制御部１３は、障害の発生を通知されると、障害が発生した無線制御部１２−１（１系）および切替先の無線制御部１２−ｍ（ｎ＋１系）へｎ＋１切替指示を行う。
【００３０】
そして、ｎ＋１切替指示を受けた無線制御部１２−１（１系）および無線制御部１２−ｍ（ｎ＋１系）は、ｎ＋１切替処理を行う（ステップＳ１６）。このｎ＋１切替処理は、無線監視制御部１３の指示に基づきｎ＋１切替部３２、４２により行われる。障害が発生した無線制御部１２−１（１系）のｎ＋１切替部３２は、監視制御部３１の指示に基づき無線制御部１２−１（１系）の系状態記憶部３３へ待機中状態を示す「ＳＢＹ」を記憶させる。切替先の無線制御部１２−ｍ（ｎ＋１系）のｎ＋１切替部４２は、監視制御部４１の指示に基づき無線制御部１３−ｍ（ｎ＋１系）の系状態記憶部４３へ運用中状態を示す「ＡＣＴ」を記憶させる。このステップＳ１６の処理により、無線制御部１２−１、１２−ｍは、運用中状態と待機中状態とを切り替えされる。
【００３１】
このとき、切り替え前に運用中状態だった無線制御部１２−１（１系）のＭＡＣ情報記憶部３５に記憶されていたＭＡＣ情報Ｄ１は、待機中状態だった無線制御部１２−ｍ（ｎ＋１系）へ定期的に（周期Ｔで）転送されていたため、ｎ＋１切替の前後で、ＭＡＣ情報Ｄ１の相違はなく、ｎ＋１切替後においても、ｎ＋１切替前と同様の制御処理を行うことができる。
【００３２】
そして、ステップＳ１６の処理によってｎ＋１切替が行われ、運用中状態となった無線制御部１２−ｍ（ｎ＋１系）は、ＭＡＣ情報記憶部４５に記憶されているＭＡＣ情報Ｄ１２をＭＡＣ情報管理部４４によって待機中状態の無線制御部１２−１（１系）へ転送する（ステップＳ１７）。無線制御部１２−１（１系）は、ＭＡＣ情報Ｄ１を受信すると、ＭＡＣ情報管理部４４の処理によってＭＡＣ情報記憶部３５へ記憶させる。なお、ｎ＋１切替処理を行わずに運用を継続している無線制御部１２−２〜１２−ｎは、一定時間Ｔ毎に、無線制御部１２−ｍ（ｎ＋１系）へＭＡＣ情報Ｄの転送を繰り返し、無線制御部１２−２〜１２−ｎが故障や障害が発生した場合に備える。
【００３３】
ここで、無線制御部１２−１（１系）の故障または障害が解消し、無線制御部１２−１（１系）の機能が復帰したとする。このような故障や障害からの復帰は、無線制御部１２−１（１系）が備える障害管理部３７により検出される。無線制御部１２−１（１系）が復帰したことを検出されると、障害管理部３７は、無線監視制御部１３へ障害からの復帰を通知する。すると、無線監視制御部１３は、無線制御部１２−１（１系）および無線制御部１３−ｍ（ｎ＋１系）へｎ＋１切戻指示を行う。そして、ｎ＋１切戻指示を受けた無線制御部１２−１（１系）および無線制御部１２−ｍ（ｎ＋１系）は、無線監視制御部１３の指示に基づきｎ＋１切戻処理を行う（ステップＳ１８）。ｎ＋１切替部４２は、監視制御部３１の指示に基づき無線制御部１２−１へ処理を元に戻す（切戻）ために、無線制御部１２−ｍ（ｎ＋１系）の系状態記憶部４３へ待機中状態を示す「ＳＢＹ」を記憶させる。また、障害から復帰した無線制御部１２−１の無線制御部１３−１（１系）のｎ＋１切替部３２は、監視制御部４１の指示に基づき無線制御部１３−１（１系）の系状態記憶部３３へ運用中状態を示す「ＡＣＴ」を記憶させる（ステップＳ１８）。このステップＳ１８の処理により、無線制御部１２−１、１２−ｍは、運用中状態と待機中状態とを切り替えされる。
【００３４】
ステップＳ１８の処理により、ｎ＋１切戻処理がなされると、無線制御部１２−１、１２−２、…、１２−ｎは、ステップＳ１１〜Ｓ１４と同様に、ＭＡＣ情報Ｄを無線制御部１２−ｍへ転送する（ステップＳ１９〜Ｓ２２）。以降、この転送処理は、一定時間Ｔを経過する毎（周期Ｔ）に行われる。
【００３５】
以上述べたように、無線部Ｒと無線基地部１０とが分離した構成の無線基地局装置ＢＳにおいて、無線基地部１０に無線制御部１２をｎ＋１構成にすることで、無線制御部１２に故障や障害が発生した場合でも、無線基地局装置ＢＳは処理を継続することができる。ひいては、複数の無線部Ｒの制御を行う無線制御部１２の信頼性をより高めることが可能となる。
【００３６】
また、ｎ＋１構成にされた無線制御部１２において、ＭＡＣ情報Ｄ１、運用中状態の無線制御部１２から待機中状態の無線制御部１２へ転送するようにしているため、運用中状態の無線制御部１２に故障や障害が発生し、待機中状態の無線制御部１２を運用中状態にするようｎ＋１切替を行っても、ｎ＋１切替の前後でＭＡＣ情報Ｄ１が最新の状態に保たれる。その結果、ｎ＋１切替の前後でＭＡＣ情報Ｄ１の矛盾が生じなく、無線通信へ影響を与えずにサービスを継続することができる。
【００３７】
なお、本発明は、以上の構成に限定されるものではなく、種々の変形が可能である。例えば、上記実施例では、ＭＡＣ情報Ｄの転送について、ＭＡＣ情報記憶部に記憶されているデータを転送するようにしたが、繰り返し転送を行うため、前回転送したデータとの差分のみを転送するようにしてもよい。また、無線制御部を必要数ｎに対して予備１つという構成に限られず、予備を２つ以上設けるようにしてもよい。さらに、無線端末装置Ｍは、無線部Ｒと無線通信できるものであれば、携帯電話、ＰＨＳ（Personal Handy-phone System）に限定されるものではなく、無線通信用のインタフェースを備えるモバイルＰＣやＰＤＡ（Personal Digital Assistants）等のポータブル機器であってもよい。
【符号の説明】
【００３８】
Ｍ，Ｍ１〜Ｍ３…無線端末装置、ＢＳ，ＢＳ１，ＢＳ２…無線基地局装置、Ｒ，Ｒ１〜Ｒ，１０１…無線部、１０…無線基地部、１１，１１−１〜１１−３，１０２…無線インタフェース部、１２，１２−１〜１２−ｎ，１２−ｍ，１０３…無線制御部、１３，１０４…無線監視制御部、２０…ネットワーク部、３１、４１…監視制御部、３２，４２…ｎ＋１切替部、３３，４３…系状態記憶部、３４，４４…ＭＡＣ情報管理部、３５，４５…ＭＡＣ情報記憶部、３６，４６…交換スイッチ、３７，４７…障害管理部、Ｐ，Ｐ１〜Ｐ３，Ｐｎｗ…ポート、Ｄ，Ｄ１〜Ｄｎ…ＭＡＣ情報。 
【図１】
2011091628.tif 000003
【図２】
2011091628.tif 000004
【図３】
2011091628.tif 000005
【図４】
2011091628.tif 000006
【図５】
2011091628.tif 000007
【図６】
2011091628.tif 000008